Podtech/llm-jp-corpus-v4-ja_patent huggingface dataset:
【手続補正書】
【提出日】平成19年5月1日(2007.5.1)
【手続補正１】
【補正対象書類名】明細書
【補正対象項目名】０００３
【補正方法】変更
【補正の内容】
【０００３】
特に、釣針を内部に埋め込んだ団子餌を用いて団子釣りを行う場合は、釣り竿のリールを予めロックして竿受け台等に立て掛けておき、釣針に団子餌を付けた後に、再度釣り竿を持ってリールのロックを解除する。このロックの解除は片手では操作ができないため、いったん団子餌をバッカン内に戻した後、リールのベイルをオープンにして釣糸を保持するとともに片手で竿を構え、次にもう一方の手で団子餌をバッカンから取り出して目的部に投入すると同時に、竿をあおって送り込む動作を行うものである。この場合、釣針を入れた団子餌をバッカン内に戻すと、団子餌の回りに柔らかい餌や粉末餌が付着して、団子餌の投入の際に手が汚れたり、団子餌が崩れてしまう事があった。更には、釣糸がバッカンの開口縁やファスナー等に引っ掛かって、団子餌を円滑に投入できなくなる事もあった。また、地面に置いたバッカンの底から団子餌を出し入れするのも、腰を大きく屈める必要があって面倒で非効率的であった。
【手続補正２】
【補正対象書類名】明細書
【補正対象項目名】００１１
【補正方法】変更
【補正の内容】
【００１１】
また、係合体は、フック状に形成し、釣用収納体の開口縁に係合しても良い。
【手続補正３】
【補正対象書類名】明細書
【補正対象項目名】００２３
【補正方法】変更
【補正の内容】
【００２３】
また、止着部は、釣用収納体の外側面に形成した差込口であっても良く、この差込口に支持体を差し込んで支持体を釣用収納体に止着しても良い。また、この差込口は、一個のみ形成するものであっても良いし、釣用収納体の外側面の上下方向及び／又は左右方向に、所望間隔で複数形成し、使用目的や使用場所に応じて、適宜の差込口に選択的に支持体を差し込むものであっても良い。
【手続補正４】
【補正対象書類名】明細書
【補正対象項目名】００３４
【補正方法】変更
【補正の内容】
【００３４】
尚、図５では差込口(17)を一個のみ図示しているが、釣用収納体(３)の上下方向に所望間隔で複数形成し、支持体(10)を差し込む差込口(17)を適宜選択できるようにして、釣用収納体(３)の載置場所の傾斜等に応じて、物置台本体(１)を常に水平に保つ事ができるようにしても良い。また、差込口(17)を、釣用収納体(３)の左右方向に複数形成して、釣用収納体(３)の何れの位置にでも物置台本体(１)を装着できるようにしても良い。また、差込口(17)の形状及び支持体(10)の下端の形状は、上方部を幅広、下方部を幅狭とする漏斗状に形成する事により、差込口(17)に支持体(10)を安定して差し込む事ができ、団子餌の重量等で、支持体(10)が下降する事がなく、物置台本体(１)が不測に傾くような不具合を少なくすることができる。
【手続補正書】
【提出日】平成19年5月11日(2007.5.11)
【手続補正１】
【補正対象書類名】特許請求の範囲
【補正対象項目名】全文
【補正方法】変更
【補正の内容】
【特許請求の範囲】
【請求項１】
第１絵柄を変動表示する第１絵柄表示装置と、
第２絵柄を変動表示する第２絵柄表示装置と、
遊技球飛翔領域に設けられた複数の遊技球入球口と、
前記複数の遊技球入球口のうち少なくとも１つに設けられ、該入球口への入球易さを変更すべく閉状態と開状態とで切り換え可能な電動役物と、
前記遊技球入球口への入球を契機として当たりか外れかの抽選を行い、その抽選結果に応じて前記第１絵柄の変動表示を指令する一方、同抽選結果が当たりの場合に当たり遊技状態に移行させる第１の遊技制御手段と、
所定の作動条件を契機として前記電動役物の状態切換の抽選を行うと共に前記第２絵柄の変動表示を指令し、該第２絵柄の変動終了時に前記抽選の結果に応じて前記電動役物を開状態に切り換える第２の遊技制御手段と、を備え、
前記第２絵柄の変動表示時間として少なくとも長短２種類の変動時間を用意しておき、通常遊技モードでは前記第２絵柄の変動表示時間を長い変動時間とし、特定遊技モードでは前記第２絵柄の変動表示時間を短い変動時間とする一方、前記電動役物を設けた遊技球入球口を電動役物が閉状態にある場合に遊技球の入球が極めて困難な構成とし、更に前記遊技球入球口への入球に伴う賞品球の払出を、前記電動役物を設けた遊技球入球口では比較的多く、前記電動役物を設けていない遊技球入球口では比較的少なくした遊技機において、
遊技途中において前記特定遊技モードに移行する際、当該特定遊技モードへの移行直前の前記第２絵柄の変動終了タイミングを検出し、該検出した第２絵柄の変動終了タイミングに応じてモード移行タイミングを決定するタイミング決定手段を備えたことを特徴とする遊技機。
【請求項２】
前記当たり遊技状態の終了後に前記特定遊技モードに移行する構成を有し、前記当たり遊技状態下では前記第２絵柄の変動表示時間を長い変動時間とした遊技機にあって、前記タイミング決定手段は、前記当たり遊技状態が終了し特定遊技モードに移行する際に、当たり遊技状態の期間内における最後の前記第２絵柄の変動終了タイミングを検出し、該検出した第２絵柄の変動終了タイミングに応じてモード移行タイミングを決定することを特徴とする請求項１に記載の遊技機。
【請求項３】
前記タイミング決定手段は、少なくとも前記当たり遊技状態の終了タイミングを含むそれ以前の所定終了期間内における前記第２絵柄の変動終了タイミングを、当たり遊技状態の期間内における最後の前記第２絵柄の変動終了タイミングとして検出することを特徴とする請求項２に記載の遊技機。
【請求項４】
前記所定終了期間において所定の単位時間毎に基準タイミングを設定しておき、前記タイミング決定手段は、前記検出した第２絵柄の変動終了タイミングより１つ前の基準タイミングに合わせて特定遊技モードへの移行タイミングを決定することを特徴とする請求項３に記載の遊技機。
【請求項５】
前記当たり遊技状態下で可変入賞装置を開放する入賞装置制御手段と、該入賞装置制御手段による可変入賞装置の開放制御が終了した後、所定のエンディング演出期間で前記第１絵柄表示装置によるエンディング演出を実行するエンディング演出実行手段とを更に備え、
前記タイミング決定手段は、前記エンディング演出期間内における前記第２絵柄の変動終了タイミングを、当たり遊技状態の期間内における最後の前記第２絵柄の変動終了タイミングとして決定することを特徴とする請求項２に記載の遊技機。
【請求項６】
前記エンディング演出実行手段によるエンディング演出期間において所定の単位時間毎に基準タイミングを設定しておき、前記タイミング決定手段は、前記検出した第２絵柄の変動終了タイミングより１つ前の基準タイミングに合わせて特定遊技モードへの移行タイミングを決定することを特徴とする請求項５に記載の遊技機。
【請求項７】
前記エンディング演出期間のうち少なくとも前記可変入賞装置の開放制御が終了した直後所定期間を、前記第１絵柄表示装置によるエンディング演出が必ず実行される演出最小確保期間とし、該演出最小確保期間では、前記特定遊技モードへの移行を禁止することを特徴とする請求項５に記載の遊技機。
【請求項８】
前記演出最小確保期間で前記第２絵柄の変動終了タイミングを検出した場合、再度、前記第２絵柄の変動表示時間を長い変動時間とすると共に、その第２絵柄の変動表示が終了するまで前記第１絵柄表示装置によるエンディング演出を継続することを特徴とする請求項７に記載の遊技機。
【請求項９】
前記エンディング演出として実施時間の異なる複数の演出パターンを用意しておき、前記演出最小確保期間で前記第２絵柄の変動終了タイミングを検出した場合、再度、前記第２絵柄の変動表示時間を長い変動時間とすると共に、前記エンディング演出として比較的実施時間の長い演出パターンを選択することを特徴とする請求項７に記載の遊技機。
【請求項１０】
前記エンディング演出期間の開始時点で前記第２絵柄が変動表示されていない場合、該エンディング演出期間の開始から所定時間経過時に前記特定遊技モードへの移行を実行することを特徴とする請求項５乃至９のいずれかに記載の遊技機。
【請求項１１】
前記通常遊技モードでは、前記電動役物の１回当たりの開放時間が比較的短く、前記特定遊技モードでは、前記電動役物の１回当たりの開放時間が比較的長い構成としたことを特徴とする請求項１乃至１０のいずれかに記載の遊技機。
【請求項１２】
前記電動役物を設けていない遊技球入球口と前記電動役物を設けた遊技球入球口とを、それぞれ上側、下側に並べて設け、前記電動役物が閉状態にある場合において上側の遊技球入球口に設けたケース部材又はその周辺部材が下側の遊技球入球口への入球の障害となる構成としたことを特徴とする請求項１乃至１１のいずれかに記載の遊技機。
【請求項１３】
前記上側の遊技球入球口には、前記電動役物が開状態になる途中で前記下側の遊技球入球口に遊技球が入球するのを困難とするよう入球妨害手段を設けたことを特徴とする請求項１２に記載の遊技機。
【請求項１４】
前記電動役物は遊技機正面から見て左右横方向に開く可動片を有しており、その可動片の開放方向に遊技球を逃がす構成としたことを特徴とする請求項１２又は１３に記載の遊技機。
【請求項１５】
前記ケース部材の上方から落下した遊技球の落下進路を制限する落下進路制限部材を、該落下進路制限部材により制限された落下進路を落下する遊技球が前記ケース部材の側面又はその周辺部材と衝突するように設けたことを特徴とする請求項１２乃至１６のいずれかに記載の遊技機。
【手続補正書】
【提出日】平成19年5月11日(2007.5.11)
【手続補正１】
【補正対象書類名】特許請求の範囲
【補正対象項目名】全文
【補正方法】変更
【補正の内容】
【特許請求の範囲】
【請求項１】
操作指示手段を有する操作部と、
牽引部材を移動させることにより所望の方向に所望の湾曲量だけ湾曲させることができる湾曲部と、
前記操作部内に設けられ、前記操作指示手段と前記湾曲部との間で前記牽引部材が巻回されたプーリーと、
前記操作指示手段の操作を検知し、前記プーリーを回転駆動する駆動制御手段と、を具備したことを特徴とする内視鏡装置。
【請求項２】
前記駆動制御手段は、
前記プーリーを回転駆動する駆動部と、
前記操作指示手段の操作を検知し、湾曲操作検知信号を出力する湾曲操作検知手段と、を具備し、
前記湾曲操作検知手段の出力に応じて前記駆動部を駆動制御することを特徴とする請求項１記載の内視鏡装置。
【請求項３】
前記駆動制御手段は、前記湾曲操作検知手段の出力に応じて前記駆動部をオンまたはオフに設定することを特徴とする請求項２記載の内視鏡装置。
【請求項４】
前記湾曲操作検知手段は、人体の接触を検知することができる、人体検知手段を有することを特徴とする請求項２または請求項３記載の内視鏡装置。
【請求項５】
前記湾曲操作検知手段は、前記操作指示手段からの前記指示の有無を検知するものであることを特徴とする請求項２記載の内視鏡装置。
【請求項６】
前記湾曲操作検知手段は、前記駆動部の出力を検知することにより前記指示の有無を検知し、前記駆動制御手段は、前記湾曲操作検知手段の検知結果に基づいて前記駆動部の駆動力を変化させることを特徴とする請求項５記載の内視鏡装置。
【請求項７】
前記駆動制御手段は、前記操作指示手段からの指示が無い場合には、前記駆動部の駆動力を第１の駆動力に設定し、前記操作指示手段からの指示がある場合には、前記駆動部の駆動力を第２の駆動力に設定することを特徴とする請求項６記載の内視鏡装置。
【手続補正２】
【補正対象書類名】明細書
【補正対象項目名】０００８
【補正方法】変更
【補正の内容】
【０００８】
本発明における内視鏡装置は、操作指示手段を有する操作部と、牽引部材を移動させることにより所望の方向に所望の湾曲量だけ湾曲させることができる湾曲部と、前記操作部内に設けられ、前記操作指示手段と前記湾曲部との間で前記牽引部材が巻回されたプーリーと、前記操作指示手段の操作を検知し、前記プーリーを回転駆動する駆動制御手段とを具備している。
【手続補正書】
【提出日】平成19年7月26日(2007.7.26)
【手続補正１】
【補正対象書類名】特許請求の範囲
【補正対象項目名】全文
【補正方法】変更
【補正の内容】
【特許請求の範囲】
【請求項１】
挿入部を有する電子内視鏡装置であって、
前記挿入部の先端部に設けられた固体撮像素子と、
前記先端部内に前記挿入部の長手方向に沿って形成された切り欠き部と、
前記切り欠き部に配置され、フレキシブル基板の温度検知手段及び前記温度検知手段から延出した２本のケーブルが実装された面を覆うように二つ折りにされて構成された温度センサユニットと、
前記固体撮像素子からの画像信号を画像処理する画像処理手段と、
を備えたことを特徴とする電子内視鏡装置。
【請求項２】
前記フレキシブル基板の前記温度検知手段及び前記温度検知手段から延出した２本のケーブルを内包する面とは反対側の面が、前記切り欠き部に接して設けられていることを特徴とする請求項１に記載の電子内視鏡装置。
【請求項３】
前記切り欠き部には、熱伝導率の高い充填剤が充填されていることを特徴とする請求項２に記載の電子内視鏡装置。
【手続補正２】
【補正対象書類名】明細書
【補正対象項目名】０００１
【補正方法】変更
【補正の内容】
【０００１】
本発明は、電子内視鏡装置に関する。
【手続補正３】
【補正対象書類名】明細書
【補正対象項目名】０００４
【補正方法】変更
【補正の内容】
【０００４】
しかし、その提案においては、最大露光時間をユーザが設定する必要があり、操作の手間がかかるという問題があった。また、電子内視鏡装置の先端部に位置する固体撮像素子は、高温になるに従って暗電流が増加するため、固体撮像素子が高温になるほど観察画像のノイズが増加する。長時間露光モードでは、ユーザによって設定された最大露光時間まで観察部位に光が照射され、直接的あるいは間接的に固体撮像素子の温度が上昇するために、観察画像のノイズが特に顕著となり、観察画像が不鮮明で観察部位が確認しづらいという問題があった。
従って、温度を検知するための温度センサを設けることが必要となるが、挿入部の先端部内にはスペースが限られており、先端部の大きさを大きくすることなく、温度センサを取り付けるのは難しかった。
【手続補正４】
【補正対象書類名】明細書
【補正対象項目名】０００５
【補正方法】変更
【補正の内容】
【０００５】
そこで、本発明においては、電子内視鏡装置の先端部の温度を監視するために、挿入部の先端部の限られたスペースに取り付けることができる温度検知手段を備えた電子内視鏡装置を提供することを目的とする。
【手続補正５】
【補正対象書類名】明細書
【補正対象項目名】０００６
【補正方法】変更
【補正の内容】
【０００６】
本発明の電子内視鏡装置は、挿入部を有する電子内視鏡装置であって、前記挿入部の先端部に設けられた固体撮像素子と、前記先端部内に前記挿入部の長手方向に沿って形成された切り欠き部と、前記切り欠き部に配置され、フレキシブル基板の温度検知手段及び前記温度検知手段から延出した２本のケーブルが実装された面を覆うように二つ折りにされて構成された温度センサユニットと、前記固体撮像素子からの画像信号を画像処理する画像処理手段と、を備えている。
【手続補正６】
【補正対象書類名】明細書
【補正対象項目名】０００７
【補正方法】変更
【補正の内容】
【０００７】
電子内視鏡装置の先端部の温度を監視するために、挿入部の先端部の限られたスペースに取り付けることができる温度検知手段を備えた電子内視鏡装置を実現することができる。
【手続補正書】
【提出日】平成19年4月9日(2007.4.9)
【手続補正１】
【補正対象書類名】明細書
【補正対象項目名】００１６
【補正方法】変更
【補正の内容】
【００１６】
この収納装置１００は、直方体形状の筐体部１１０を有している。この筐体部１１０には、図２に示すように、正面側に収納口１２１-1〜１２１-9を持つ９個の四角筒形状の収納部本体１２０-1〜１２０-9が形成されている。これら収納部本体１２０-1〜１２０-9は、マトリックス状に配置されている。また、筐体部１１０には、図１に示すように、収納部本体１２０-1〜１２０-9のそれぞれに対応して、その収納口１２１-1〜１２１-9を覆うための平板部１３０-1〜１３０-9が、着脱自在に取り付けられている。なお、図１は、平板部１３０-1〜１３０-9を取り付けた状態を示しており、図２は平板部１３０-1〜１３０-9を取り外した状態を示している。
【手続補正２】
【補正対象書類名】明細書
【補正対象項目名】００３５
【補正方法】変更
【補正の内容】
【００３５】
収納部本体１２０-1および平板部１３０-1は上述したように構成されており、平板部１３０-1は収納部本体１２０-1の収納口１２１-1に対応して、着脱自在に取り付けることができる。図６は、平板部１３０-1が収納口１２１-1を覆っている閉蓋状態を示している。この閉蓋状態では、ユーザがリモコン１５０を操作してロックモードとすることで、平板部１３０-1のロック機構１４５を構成する爪部１４６が、収納口１２１-1の段差部１２２に設けられた爪挿入孔１２５に挿入され、ロック状態となる。図７は、収納口１２１-1が開放された開蓋状態を示している。
【手続補正３】
【補正対象書類名】明細書
【補正対象項目名】００３６
【補正方法】変更
【補正の内容】
【００３６】
なお、平板部１３０-1を収納部本体１２０-1の収納口１２１-1の部分から容易に取り外すことができるので、平板部１３０-1の分離使用を容易に行うことができる。平板部１３０-1は、取り外されたときには、普通のテレビ受信機として利用できる。上述したアンテナ線接続端子１４１およびＡＣ電源ケーブル接続端子１４２は、平板部１３０-1を上述したように取り外して普通のテレビ受信機として使用する際に必要となるものである。
【手続補正４】
【補正対象書類名】明細書
【補正対象項目名】００３９
【補正方法】変更
【補正の内容】
【００３９】
アンテナ線分配器２０４は、アンテナ端子１８０に入力された放送信号ＢＳを、テレビボックス部２０５-1〜２０５-9に分配する。スイッチャ２０３は、テレビボックス部２０５-1〜２０５-9からの画像信号ＳＶおよび外部画像入力端子１８２に入力された画像信号ＳＶを入力し、テレビボックス部２０５-1〜２０５-9への画像信号ＳＶを出力する。また、このスイッチャ２０３は、テレビボックス部２０５-1〜２０５-9からの音声信号ＳＡおよび外部音声入力端子１８４に入力された音声信号ＳＡを入力し、テレビボックス部２０５-1〜２０５-9のスピーカ１３９Ｌ，１３９Ｒやスピーカ１４０Ｌ，１４０Ｒへの音声信号ＳＡを出力する。
【手続補正５】
【補正対象書類名】明細書
【補正対象項目名】００４２
【補正方法】変更
【補正の内容】
【００４２】
このテレビボックス部２０５-1は、リモコン信号ＲＭの入力端子３０１、放送信号ＢＳの入力端子３０２、画像信号ＳＶの入力端子３０３、画像信号ＳＶの出力端子３０４、音声信号ＳＡの出力端子３０５、音声信号ＳＡの入力端子３０６を有している。これら端子３０１〜３０６は、上述した接続端子１３５（図４参照）を構成している。また、このテレビボックス部２０５-1は、アンテナ線接続端子１４１を有している。この接続端子１４１は、チューナ３１２に接続されている。
【手続補正６】
【補正対象書類名】明細書
【補正対象項目名】０１０８
【補正方法】変更
【補正の内容】
【０１０８】
指定されたテレビボックス部では、当該リモコン信号ＲＭに基づいて、制御部３１１が信号処理部３１３を制御し、入力端子３０３に入力された画像信号ＳＶに対してＩＰ変換処理、さらにはスチル処理を行い、処理後の画像信号を画像表示素子１３１に供給する。これにより、指定されたテレビボックス部の画像表示素子１３１に、指定されたジャケットまたはズボン（スカート）が表示された状態となる。これにより、任意のジャケットおよびズボン（スカート）を組み合わせた表示が可能となる。
【手続補正７】
【補正対象書類名】明細書
【補正対象項目名】０１２９
【補正方法】変更
【補正の内容】
【０１２９】
図２０のフローチャートは、ミラー表示処理を示している。まず、ステップＳＴ２２１で、処理を開始し、ステップＳＴ２２２で、自己の撮像素子１３２の出力を使用するか否かを判定する。自己の撮像出力を使用するときは、ステップＳＴ２２３で、撮像出力をスイッチャ２０３に出力し、その後にステップＳＴ２２４に進む。ステップＳＴ２２２で、自己の撮像出力を使用しないときは、直ちにステップＳＴ２２４に進む。
【手続補正８】
【補正対象書類名】明細書
【補正対象項目名】０１３０
【補正方法】変更
【補正の内容】
【０１３０】
ステップＳＴ２２４では、自己の記録装置３１４の再生出力（過去画像信号または衣服表示用画像信号）を使用するか否かを判定する。自己の記録装置３１４の再生出力を使用するときは、ステップＳＴ２２５で、再生出力をスイッチャ２０３に出力し、その後にステップＳＴ２２６に進む。ステップＳＴ２２４で、自己の記録装置３１４の再生出力を使用しないときは、直ちにステップＳＴ２２６に進む。
【手続補正書】
【提出日】平成19年5月14日(2007.5.14)
【手続補正１】
【補正対象書類名】特許請求の範囲
【補正対象項目名】全文
【補正方法】変更
【補正の内容】
【特許請求の範囲】
【請求項１】
先端部に観察光学系及び照明用光学系が配設されている内視鏡を用いて内部を観察するために設けられた観察対象の壁面開口部に装着される内視鏡用観察補助具であって、
前記観察光学系と対向する位置に配設される第１光透過部材と、
前記照明光学系と対向する位置に配設される第２光透過部材と、
前記第１光透過部材及び前記第２光透過部材の間に配設される遮光部とを具備して一体に構成したことを特徴とする内視鏡用観察補助具。
【請求項２】
前記遮光部は、前記第１光透過部材及び前記第２光透過部材の間に挟持された板状部材であることを特徴とする請求項１に記載の内視鏡用観察補助具。
【請求項３】
前記遮光部は、前記第１光透過部材及び前記第２光透過部材のいずれか一方の接合面に形成された遮光膜であることを特徴とする請求項１に記載の内視鏡用観察補助具。
【請求項４】
前記遮光部を配設する前記第１光透過部材及び前記第２光透過部材の挟持面にはテーパーが形成されていることを特徴とする請求項１に記載の内視鏡用観察補助具。
【請求項５】
前記第２光透過部材の出光端面に光拡散処理を施したことを特徴とする請求項１から４のいずれかに記載の内視鏡用観察補助具。
【請求項６】
前記第1光透過部材及び前記第２光透過部材のいずれか一方の出光端面を突出させて段差が形成されていることを特徴とする請求項１から４のいずれかに記載の内視鏡観察補助具。
【請求項７】
前記第２光透過部材の出光端面が、照明光を観察方向へ屈折させる傾斜面に形成されていることを特徴とする請求項１から５のいずれかに記載の内視鏡用観察補助具。
【請求項８】
前記第１光透過部材を前記観察光学系側が小径の円錐台形状とし、前記第２光透過部材に形成した中空部に嵌合して一体化したことを特徴とする請求項１に記載の内視鏡用観察補助具。
【請求項９】
先端部に観察光学系及び照明用光学系が配設されている内視鏡を用いて内部を観察するために設けられた観察対象の壁面開口部に装着される内視鏡用観察補助具の製造方法であって、
前記観察光学系と対向する位置に配設される第１光透過部材と、前記照明光学系と対向する位置に配設される第２光透過部材と、前記第１光透過部材及び前記第２光透過部材の間に配設される遮光部とを一体化してなる母材を形成し、該母材を所望の形状に加工したことを特徴とする内視鏡用観察補助具の製造方法。
【請求項１０】
先端部に観察光学系及び照明用光学系が配設されている内視鏡を用いて内部を観察する内視鏡観察方法であって、
前記観察光学系と対向する位置に配設される第１光透過部材と、前記照明光学系と対向する位置に配設される第２光透過部材と、前記第１光透過部材及び前記第２光透過部材の間に配設される遮光部とを一体化してなる内視鏡用観察補助具を観察対象の壁面開口部に装着し、該内視鏡用観察補助具に前記内視鏡の先端部を所定位置に合わせて当接させながら観察することを特徴とする内視鏡観察方法。
【手続補正２】
【補正対象書類名】明細書
【補正対象項目名】００１０
【補正方法】変更
【補正の内容】
【００１０】
上述した内視鏡用観察補助具において、前記第２光透過部材の出光端面に光拡散処理を施すことが好ましく、これにより、明暗のムラがない均一な照明光を広範囲に照射することができる。なお、光拡散処理の具体例としては、たとえば出光端面を磨りガラス状の砂目（拡散部）とすればよい。また、上述した内視鏡用観察補助具において、前記第1光透過部材及び前記第２光透過部材のいずれか一方の出光端面を突出させて段差を形成することが好ましい。
【手続補正書】
【提出日】平成19年3月13日(2007.3.13)
【手続補正１】
【補正対象書類名】明細書
【補正対象項目名】００１０
【補正方法】変更
【補正の内容】
【００１０】
このような観点から、本発明者は、従来公知の標準１２誘導心電図あるいはＭＬ誘導心電図を得るための最小限の誘導数からなる心電図誘導システムの心電図誘導電極セットのサブセットにより、各種の心臓疾患に対する診断および治療を適正に行うことができる標準１２誘導心電図を再構築するための標準１２誘導心電図の構築方法および心電図検査装置を開発し、特許出願を行った（特許文献１参照）。
【手続補正２】
【補正対象書類名】明細書
【補正対象項目名】００１１
【補正方法】変更
【補正の内容】
【００１１】
すなわち、前記特許文献１に記載の標準１２誘導心電図の構築方法においては、最小限のチャンネル数からなる心電図誘導システムの心電図誘導電極セットのサブセットとして、例えば、標準１２誘導心電図を得る場合の四肢誘導の第Ｉ、II誘導と、胸部誘導の２つの誘導であるＶ１誘導およびＶ５誘導またはＶ６誘導とを使用するものであって、これにより第III誘導とａＶ誘導（ａＶＲ誘導、ａＶＬ誘導、ａＶＦ誘導）が、前記表１に示す各誘導の固有関係に基づいて演算により求められる。また、前記胸部誘導の残りの誘導であるＶ２誘導、Ｖ３誘導、Ｖ４誘導、Ｖ６誘導またはＶ５誘導は、電位マトリクス・誘導ベクトル・心臓ベクトルの関係から、演算により求められる。
【手続補正３】
【補正対象書類名】明細書
【補正対象項目名】００１２
【補正方法】変更
【補正の内容】
【００１２】
このようにして得られる標準１２誘導心電図は、従来の標準１２誘導心電図の心電図誘導システムの心電図誘導電極セットのサブセットを使用することから、各電極の装着に際してそれぞれ所定部位への位置決めを容易かつ確実に行うことが可能であり、作業に多くの熟練を要することなく、高精度の標準１２誘導心電図を再構築することができ、各種の心臓疾患に対する診断および治療を適正に行うことができる。
【手続補正４】
【補正対象書類名】明細書
【補正対象項目名】００１５
【補正方法】変更
【補正の内容】
【００１５】
しかるに、特許文献１の発明によれば、最小限の誘導から患者の電位マトリクス・誘導ベクトルを演算し、それに基づいて心臓ベクトルを推定し、さらにその心臓ベクトルから標準１２誘導心電図を求めるための複雑な演算を必要とされた。また、特許文献２の発明によれば、展開係数を用いた多重線形回帰演算をして、標準１２誘導心電図を求めるものであり、同文献によれば、心電図データをどの部分も均等に１２０から１０００のレートでサンプリングしたデータを比較することにより、展開係数式を定めている。この様な方法では、標準１２誘導心電図を導出するに当り平均的な精度を得ることは可能であろう。しかし、臨床上、特に虚血性心疾患や急性心筋梗塞などにおいては、心電図のＳＴ部分の変化が０．１ｍＶの変化があれば病理的意味を持つとされている。したがって、プレホスピタルケアなどに使われるモニタ診断装置として、ＳＴ部分の精度を重点に考える必要がある。本発明は、そこに着目して、前記のような平均的な標準１２誘導心電図の導出というものより、心電図のＳＴ部分の導出精度を上げるべくなされたものである。
【手続補正５】
【補正対象書類名】明細書
【補正対象項目名】００１９
【補正方法】変更
【補正の内容】
【００１９】
例えば、図４によれば、標準１２誘導心電図の一部の誘導電位としての第Ｉ、II誘導の心電信号を検出するための電極として、四肢誘導であれば左右腕部（電極Ｌ、Ｒ）と左右下肢（電極ＬＬ、ＲＬ）の４個所に設ける〔図４の（ａ）参照〕。また、運動負荷試験等の場合においては、前記標準１２誘導を修正するメイソン−リカー（Ｍason−Ｌikar）の修正１２誘導としての四肢誘導とし、左右上肢として左右鎖骨遠位端と、左右下肢として左右側腹部との４個所に、それぞれ電極を設ける〔図４の（ｂ）参照〕。なお、前記電極ＲＬは接地電極とする。
一方、前記一部の誘導電位としての胸部誘導の２誘導（Ｖ２、Ｖ５）の心電信号を検出するための電極としては、例えば第４肋間胸骨左縁位置（Ｖ２の心電信号を得る）と左前腋窩線と第５肋間を横切る水平線との交点位置（Ｖ５の心電信号を得る）の２個所に設ける〔図４の（ａ）、（ｂ）参照〕。これにより、標準１２誘導心電図の誘導システムのサブセットの一部の複数からなる誘導を検出測定し、その他の標準１２誘導心電図の誘導電位（心電信号）については、それぞれ前述した所定の変換行列に基づいて演算により求める。このようにして、標準１２誘導心電図を構築することができる。また、前記修正１２誘導のサブセットの一部の複数からなる誘導を検出測定した場合には、前記と同様にして修正１２誘導心電図を得ることができる。
【手続補正６】
【補正対象書類名】明細書
【補正対象項目名】００３０
【補正方法】変更
【補正の内容】
【００３０】
本発明の請求項２ないし請求項５に記載の標準１２誘導心電図の構築方法によれば、前記標準１２誘導心電図を構築する演算を行うための変換行列は、標準１２誘導の１０電極による誘導システムで収集された誘導に基づき、前記胸部誘導サブセットの一部の複数からなる誘導と、前記胸部誘導サブセットの他部の誘導との所定の関係から得ることができる。そして、この変換行列は、さらに特定人の過去の複数時点あるいは不特定複数人の前記各誘導についての関係から、最小二乗法による変換行列を用いて求めるものであるが、特に心電図波形全体での平均的な関係ではなく、ＳＴ部分に特に高い精度を得ることができるものである。それによって、プレホスピタルケアなどの現場において、特に虚血性心疾患や急性心筋梗塞などのような緊急対応を必要とする場合に、精度の良い装置を提供するものである。ここで、特定人の過去の複数時点の平均的関係を用いれば、該特定人自身のデータによるので大変良い一致を得ることができ、精度の高い結果を得ることができる。また、救急現場等の緊急性を有する場合等では、不特定多数人の平均的関係を用いれば、大きな精度の狂いを見ることなく、安定した結果を得ることができる。
【手続補正７】
【補正対象書類名】明細書
【補正対象項目名】００３６
【補正方法】変更
【補正の内容】
【００３６】
〔標準１２誘導心電図の構築方法〕
前述した基本原理に基づき、本発明に係る標準１２誘導心電図を構築することができる。すなわち、本発明において、標準１２誘導心電図のうちの四肢誘導を測定する電極として、左右腕部（電極Ｌ、Ｒ）と左右下肢（電極ＬＬ、ＲＬ）の４個所に設ける。なお、運動負荷試験等の場合においては、前記標準１２誘導を修正するメイソン−リカー（Ｍason−Ｌikar）の修正１２誘導としての四肢誘導とし、左右上肢として左右鎖骨遠位端（電極Ｌ、Ｒ）と、左右下肢として左右側腹部（電極ＬＬ、ＲＬ）との４個所に、それぞれ電極を設ける。そして、前記電極ＲＬは接地電極とする。このようにして、前記四肢誘導を測定する電極からは、標準１２誘導心電図の第Ｉ誘導と第II誘導との心電図誘導波形を検出測定することができる。
【手続補正書】
【提出日】平成19年5月22日(2007.5.22)
【手続補正１】
【補正対象書類名】明細書
【補正対象項目名】００４０
【補正方法】変更
【補正の内容】
【００４０】
【表１】
2004161856.tif 000001
表１
【手続補正２】
【補正対象書類名】明細書
【補正対象項目名】００４４
【補正方法】変更
【補正の内容】
【００４４】
以下の表２、表３、表４に、それぞれ実施例１〜１４、比較例１〜５、参考例１〜４の組成物より得られた熱伝導性シート状成形体の評価を示した。評価基準は以下のとおりである。
１）充填材の含有率：マトリックス成分と充填材との合計体積［（Ａ）＋（Ｂ）＋（Ｄ）＋（Ｃ）］を１００とした場合の充填材（Ｃ）の含有率（体積％）
２）硬化性：液体５０ｇを１５０℃に加熱した恒温オーブン中に２０分間放置したときの硬化性
○：硬化
△：ゲル状
×：液状（硬化せず）
３）熱伝導率：京都電子社製、迅速熱伝導率測定器ＴＱＭ−５００にて測定。
○：０．７０（Ｗ／ｍＫ）以上、△：０．３０〜０．６９、×：０．３０未満
４）耐熱性：ＴＧＡ（Ｔｈｅｒｍｏ ｇｒａｖｉｍｅｔｒｉｃ Ａｎａｌｙｚｅｒ熱天秤）にて大気雰囲気下、昇温速度５℃／ｍｉｎで測定、分解開始温度を記録。
○：１８０℃以上、△：１５０〜１７９、×：１５０未満
５）気泡の発生：液体５０ｇ減圧脱泡（１０Ｔｏｒｒ．２０ｍｉｎ）し、これを１５０℃に加熱した恒温オーブン中に２０分間放置し硬化物を作成後、硬化物の断面を黙視にて確認する。
○：気泡なし
×：気泡あり
６）シロキサンガスの発生：（測定条件：熱分解ガス・質量分析器にて測定）
○：発生せず
×：発生
７）高温圧縮による変形：５×５ｃｍのシートを２枚のアルミ板（５×５ｃｍ）に挟み２５００ｇの荷重をかけた状態で１００℃×６０分加熱、アルミ板の脇からのシートがはみ出しているかどうかを観測。
○：はみ出しなし
×：はみ出し有り
８）ブリードアウト：液体５０ｇを１５０℃に加熱した恒温オーブン中に２０分間放置し硬化物を得る。該硬化物を１２０℃のオーブンに１００時間放置し後に硬度物の表面を触診にて確認、ブリードの有無を確認。
○：ブリードなし
×：ブリードあり
９）得られたシートの取扱い易さ：実際に適用する際のシートの取扱い易さ（装着容易性、密着性）を評価する。
○：取扱い易い
△：やや取扱いにくい
【表２】
表２
2004161856.tif 000002
【手続補正３】
【補正対象書類名】明細書
【補正対象項目名】００４５
【補正方法】変更
【補正の内容】
【００４５】
【表３】
2004161856.tif 000003
表２（続き）
注）Ｂ１， Ｂ２， Ｂ３における（ ）内の数値はアクリル系共重合体（Ａ）と脂肪族系炭化水素化合物（Ｄ）との合計酸当量１００に対するグリシジル当量を表す。
Ｃ１（窒化硼素）ρ＝２．２７
Ｃ２（アルミナ）ρ＝３．９８
Ｃ３（炭酸カルシウム）ρ＝２．７
【手続補正４】
【補正対象書類名】明細書
【補正対象項目名】００４７
【補正方法】変更
【補正の内容】
【００４７】
【表４】
表３
2004161856.tif 000004
注）Ｂ１， Ｂ２， Ｂ３における（ ）内の数値はアクリル系共重合体（Ａ）と脂肪族系炭化水素化合物（Ｄ）との合計酸当量１００に対するグリシジル当量を表す。
Ｃ１（窒化硼素）ρ＝２．２７
Ｃ２（アルミナ）ρ＝３．９８
Ｃ３（炭酸カルシウム）ρ＝２．７
ＮＤ：測定不可、試料作成不可
【誤訳訂正書】
【提出日】平成19年1月9日(2007.1.9)
【誤訳訂正１】
【訂正対象書類名】特許請求の範囲
【訂正対象項目名】全文
【訂正方法】変更
【訂正の内容】
【特許請求の範囲】
【請求項１】
車輛のクルーズ制御装置用の操作装置であって、
前記操作装置は、
なぞることによって少なくとも一つの数字を入力できる少なくとも一つの英数字入力部が設けられた接触感知式制御パネルを含み、かくして入力された数字は、設定機能によってクルーズ制御装置に設定値として伝達され、前記英数字入力部は複数のゾーンに分けられ、これにより、少なくとも一つの数字をこれらのゾーンの各々に入力でき、前記少なくとも一つの数字は、当該少なくとも一つの数字が入力された前記ゾーンの各々に応じた速度指示として解釈されることを特徴とする操作装置。
【請求項２】
請求項１に記載の操作装置において、
前記設定機能は、制御部を叩くことによって作動されることを特徴とする操作装置。
【請求項３】
請求項２に記載の操作装置において、
前記制御部は、前記英数字入力部内に設けられていることを特徴とする操作装置。
【請求項４】
請求項１に記載の操作装置において、
前記設定機能は、前記英数字入力部で数字を大まかになぞることによって、指先で入力したシンボルを解釈し、尤もらしい英数字シンボルだけを受け入れる読み取り機能を含むことを特徴とした操作装置。
【請求項５】
請求項１に記載の操作装置において、
前記英数字入力部は、互いから触覚的に区別できる、制御機能と各々関連した複数の制御部によって取り囲まれていることを特徴とする操作装置。
【誤訳訂正２】
【訂正対象書類名】明細書
【訂正対象項目名】０００４
【訂正方法】変更
【訂正の内容】
【０００４】
本発明による操作装置は、少なくとも一つの英数字入力部が設けられた接触感知式制御パネルを含む。入力部をなぞるだけで少なくとも一つの数字を入力部に入力できる。かくして入力された数字が、設定機能によってクルーズ制御装置に設定値として伝達される。
【誤訳訂正３】
【訂正対象書類名】明細書
【訂正対象項目名】００１２
【訂正方法】変更
【訂正の内容】
【００１２】
入力された数字は、尤もらしい入力だけを受け入れる読み取り機能によって解釈される。例えば、図示の例で入力された数字「５」は、５０Ｋｍ／ｈと解釈され、同様に、「１」に続いて「２」を入力すると１２０Ｋｍ／ｈと解釈される。別の態様では、入力された数字「５」が、入力されたゾーンに応じて、５Ｋｍ／ｈ（遊戯街路（ｐｌａｙ ｓｔｒｅｅｔ）と隣接した歩道ゾーン）、５０Ｋｍ／ｈ（通常道路）、又は１３５Ｋｍ／ｈ（高速道路）の速度指示と解釈されるように、入力部１２を幾つかのゾーンに分ける。
【手続補正書】
【提出日】平成19年3月14日(2007.3.14)
【手続補正１】
【補正対象書類名】特許請求の範囲
【補正対象項目名】全文
【補正方法】変更
【補正の内容】
【特許請求の範囲】
【請求項１】
下記一般式（１）で表される組成を有すると共にＲ−Ｓｎ−Ｍ相を主相とする結晶質合金を含むことを特徴とする非水電解質電池用負極材料。
ＲaＳｎbＭcＴdＸeＡf      （１）
但し、Ｒは希土類元素から選ばれる少なくとも1種類の元素、Ｍは、Ｃｏ，Ｎｉ、Ｆｅ，Ｃｕ、Ｍｎ、Ｖ及びＣｒよりなる群から選ばれる少なくとも１種類の元素で、Ｔは、Ｔｉ、Ｚｒ、Ｈｆ、Ｎｂ、Ｔａ、Ｍｏ及びＷよりなる群から選ばれる少なくとも１種の元素で、Ｘは、Ｓｉ、Ａｌ、Ｓｂ及びＩｎよりなる群から選ばれる少なくとも１種の元素、ＡはＭｇ，Ｃａ、Ｓｒ及びＢａから選ばれる少なくとも1種の元素であり、ａ，ｂ，ｃ，ｄ，ｅ、ｆは、それぞれ、ａ＋ｂ＋ｃ＋ｄ＋ｅ＋ｆ＝１００原子％、０＜a≦４０、４５≦ｂ≦７０、０＜ｃ≦３０、０≦ｄ≦１０、０≦ｅ≦２０、０≦ｆ≦３０を示す。
【請求項２】
前記Ｒ元素はＬａ，Ｃｅ，Ｐｒ及びＮｄよりなる群から選ばれる少なくとも１種類で、前記Ａ元素はＣａ及びＭｇのうちの少なくとも一方の元素を含み、１２≦ａ＋ｆ≦４０であることを特徴とする請求項１記載の非水電解質電池用負極材料。
【請求項３】
前記結晶質合金は、酸処理、水素ガス雰囲気中での熱処理、水素粉砕及び炭素被覆のうちいずれかの表面処理が施されていることを特徴とする請求項１記載の非水電解質電池用負極材料。
【請求項４】
請求項１または請求項２のいずれか１項に記載の非水電解質電池用電極材料は、平均結晶粒径が１００ｎｍ〜１０μｍであることを特徴とする非水電解質電池用負極材料。
【請求項５】
前記結晶質合金は、示差走査熱量測定において発熱ピークを示さないことを特徴とする請求項１記載の非水電解質電池用負極材料。
【請求項６】
前記結晶質合金は、Ｃｕｋαを用いるＸ線回折測定において、面間隔ｄで２．７５〜２．９０Åの間に主回折ピークが現れることを特徴とする請求項１、請求項２または請求項４のいずれか１項に記載の非水電解質電池用負極材料。
【請求項７】
前記Ｒ−Ｓｎ−Ｍ相がＲ３Ｓｎ７Ｍ２相、Ｒ３Ｓｎ６Ｍ２相のいずれか１種であることを特徴とする請求項１乃至請求項６のいずれか１項に記載の非水電解質電池用負極材料。
【請求項８】
請求項１乃至請求項７いずれかに記載の非水電解質電池用負極材料を含むことを特徴とする負極。
【請求項９】
請求項１乃至請求項７いずれかに記載の非水電解質電池用負極材料を含む負極と、正極と、非水電解質とを具備することを特徴とする非水電解質電池。
【手続補正書】
【提出日】平成19年6月20日(2007.6.20)
【手続補正１】
【補正対象書類名】明細書
【補正対象項目名】発明の名称
【補正方法】変更
【補正の内容】
【発明の名称】評価装置、ドーピング装置、並びに半導体素子の作製方法
【手続補正２】
【補正対象書類名】特許請求の範囲
【補正対象項目名】全文
【補正方法】変更
【補正の内容】
【特許請求の範囲】
【請求項１】
膜の表面に液体を滴下し、前記液体の接触角を測定する手段と、
前記測定された接触角より、前記膜の導電型及びキャリア濃度を判定する手段と、を有することを特徴とする評価装置。
【請求項２】
請求項１において、
前記接触角を測定する手段は、接触角測定器と、前記測定器による測定情報を記憶伝達する媒体を有することを特徴とする評価装置。
【請求項３】
請求項２において、
前記膜の導電型及びキャリア濃度を判定する手段は、前記測定情報より前記膜の導電型及びキャリア濃度を解析し、判定することを特徴とする評価装置。
【請求項４】
半導体層に一導電型の不純物元素をドーピングする手段と、
前記一導電型の不純物がドーピングされた前記半導体層の表面に液体を滴下し、前記液体の接触角を測定する手段と、
前記測定された接触角より、前記半導体層の導電型及びキャリア濃度を判定する手段と、を有することを特徴とするドーピング装置。
【請求項５】
請求項４において、
前記判定する手段の判定結果に基づいて、前記半導体層にドーピングする前記一導電型の不純物元素の量を決定する手段を有することを特徴とするドーピング装置。
【請求項６】
請求項５において、
前記決定された一導電型の不純物元素の量に応じて、前記ドーピングする手段にドーピングを指示する手段を有することを特徴とするドーピング装置。
【請求項７】
半導体層の表面に液体を滴下し、前記液体の接触角を測定する手段と、
前記測定された接触角より、前記半導体層の導電型及びキャリア濃度を判定する手段と、
前記判定する手段の判定結果に基づいて、前記半導体層にドーピングする一導電型の不純物元素の量を決定する手段と、を有することを特徴とするドーピング装置。
【請求項８】
請求項７において、
前記決定された一導電型の不純物元素の量に応じてドーピングを指示する手段と、
前記ドーピングを指示する手段からの指示を受けて、前記半導体層に前記一導電型の不純物元素をドーピングする手段と、を有することを特徴とするドーピング装置。
【請求項９】
請求項４乃至請求項８のいずれか一項において、
前記半導体層の表面に前記液体を滴下する前に、前記半導体層の表面を清浄にする手段を有することを特徴とするドーピング装置。
【請求項１０】
請求項９において、
前記半導体層の表面を清浄にする手段は、前記半導体層の表面に形成された酸化膜を化学的に除去する手段を有することを特徴とするドーピング装置。
【請求項１１】
請求項９または請求項１０において、
前記半導体層の表面を清浄にする手段は、フッ酸含有水溶液をスピン塗布する手段を有することを特徴とするドーピング装置。
【請求項１２】
請求項４乃至請求項１１のいずれか一項において、
前記一導電型の不純物元素はリンまたはボロンであることを特徴とするドーピング装置。
【請求項１３】
請求項４乃至請求項１２のいずれか一項において、
前記液体の接触角を測定する手段は、接触角測定器と、前記測定器による測定情報を記憶伝達する媒体を有することを特徴とするドーピング装置。
【請求項１４】
半導体層の表面に液体を滴下し、前記液体の接触角を測定し、前記測定された接触角より前記半導体層の導電型及びキャリア濃度を判定し、前記判定結果に基づいて決定された量の一導電型の不純物元素を、前記半導体層にドーピングすることを特徴とする半導体素子の作製方法。
【請求項１５】
基板上に半導体膜を形成し、
前記半導体膜から第１の半導体層と第２の半導体層を形成し、
前記第１の半導体層の表面を露出させ、
前記第１の半導体層の表面に液体を滴下し、前記液体の接触角を測定し、前記測定された接触角より前記第１の半導体層の導電型及びキャリア濃度を判定し、前記判定結果に基づいて決定された量の一導電型の不純物元素を、前記第２の半導体層にドーピングすることを特徴とする半導体素子の作製方法。
【請求項１６】
請求項１５において、
前記第１の半導体層の表面に形成された酸化膜を化学的に除去して、前記第１の半導体層の表面を清浄にした後、前記第１の半導体層の表面に前記液体を滴下することを特徴とする半導体素子の作製方法。
【請求項１７】
請求項１５または請求項１６において、
前記第１の半導体層の表面にフッ酸含有水溶液をスピン塗布して、前記第１の半導体層の表面を清浄にした後、前記第１の半導体層の表面に前記液体を滴下することを特徴とする半導体素子の作製方法。
【請求項１８】
請求項１５乃至請求項１７のいずれか一項において、
前記第１の半導体層の表面に滴下する液体として、水を用いることを特徴とする半導体素子の作製方法。
【請求項１９】
請求項１４乃至請求項１８のいずれか一項において、
前記一導電型の不純物元素としてリンまたはボロンを用いることを特徴とする半導体素子の作製方法。
【手続補正書】
【提出日】平成18年12月26日(2006.12.26)
【手続補正１】
【補正対象書類名】特許請求の範囲
【補正対象項目名】全文
【補正方法】変更
【補正の内容】
【特許請求の範囲】
【請求項１】
投影システムを使用してパターン化デバイスから基板上にパターンを投影するようになされ、かつ、前記投影システムの最終エレメントと前記基板の間の空間の少なくとも一部に液浸液を充填するための液体供給システムを有し、前記最終エレメントは、前記液浸液と接触する表面に、実質的に前記液浸液に対して不溶性の溶融石英ガラス板を有しているリソグラフィック投影装置。
【請求項２】
前記石英ガラス板の厚さが、５０μｍから５ｍｍまでの範囲である、請求項１に記載のリソグラフィック投影装置。
【請求項３】
前記石英ガラス板が、接着剤を使用しない接触結合によって前記最終エレメントに結合された、請求項１又は２に記載のリソグラフィック投影装置。
【請求項４】
前記最終エレメントと前記石英ガラス板の継ぎ目の周囲に、液体を漏らさないシールが設けられている、請求項１に記載のリソグラフィック投影装置。
【請求項５】
前記最終エレメントがＣａＦ２からなる、請求項１から４までのいずれか一項に記載のリソグラフィック投影装置。
【請求項６】
前記最終エレメントが、いずれもＣａＦ２である第１及び第２のコンポーネントからなり、前記投影ビームが前記第１のコンポーネントを通過した後、前記第２のコンポーネントを通過する、請求項１に記載のリソグラフィック投影装置。
【手続補正書】
【提出日】平成19年6月29日(2007.6.29)
【手続補正１】
【補正対象書類名】特許請求の範囲
【補正対象項目名】全文
【補正方法】変更
【補正の内容】
【特許請求の範囲】
【請求項１】
複数のＬＥＤ素子を面状に配置し、前記ＬＥＤ素子から放射される光を波長変換して照射する発光装置において、
透明なガラスからなる平坦な基体に前記光に基づいて励起される蛍光体を薄膜状に設けた蛍光体層を有する波長変換部と、
前記蛍光体層に外部放射のための隙間が形成されていることを特徴とする発光装置。
【請求項２】
前記隙間は、前記光が発光装置内で反射することなく外部放射されない範囲に形成されていることを特徴とする請求項第１項記載の発光装置。
【請求項３】
前記複数のＬＥＤ素子に応じて設けられる複数のすり鉢状の反射面を有し、前記反射面に前記光に基づいて励起される蛍光体層が設けられていることを特徴とする請求項第１項記載の発光装置。
【請求項４】
前記波長変換部は、前記基体の断面内に薄膜状の蛍光体層を封入して構成されていることを特徴とする請求項第１項記載の発光装置。
【請求項５】
前記蛍光体層は、前記ＬＥＤ素子の配置に応じた位置に部分的に封入されることを特徴とする請求項第４項記載の発光装置。
【請求項６】
前記波長変換部は、前記基体の表面に光拡散性を付与する凹凸を有することを特徴とする請求項第１項記載の発光装置。
【手続補正２】
【補正対象書類名】明細書
【補正対象項目名】００１１
【補正方法】変更
【補正の内容】
【００１１】
本発明は、上記目的を達成するため、複数のＬＥＤ素子を面状に配置し、前記ＬＥＤ素子から放射される光を波長変換して照射する発光装置において、透明なガラスからなる平坦な基体に前記光に基づいて励起される蛍光体を薄膜状に設けた蛍光体層を有する波長変換部と、前記蛍光体層に外部放射のための隙間が形成されていることを特徴とする発光装置を提供する。
【手続補正３】
【補正対象書類名】明細書
【補正対象項目名】００１４
【補正方法】変更
【補正の内容】
【００１４】
前記波長変換部は、前記基体の断面内に薄膜状の蛍光体層を封入した構成とすることもできる。
【手続補正４】
【補正対象書類名】明細書
【補正対象項目名】００１９
【補正方法】変更
【補正の内容】
【００１９】
図１は、本発明の第１の実施の形態に係る発光装置を示す図であり、（ａ）は平面図、（ｂ）は（ａ）のＢ−Ｂ部における断面図である。この発光装置１は、平坦な基体となる透明なガラス材２１に蛍光体層２０ａ、２０ｂを設けてなる波長変換部２と、複数の発光部１０をマトリクス状に有する枠体としての反射部３と、反射部３と接合される基板部４とを有し、波長変換部２、反射部３、および基板部４の側面を露出させた構成を有する。
【手続補正書】
【提出日】平成18年1月10日(2006.1.10)
【手続補正２】
【補正対象書類名】明細書
【補正対象項目名】全文
【補正方法】変更
【補正の内容】
【発明の詳細な説明】
【発明の名称】簡易真空パック装置
【０００１】発明の属する技術分野
本発明は、食品などをビニール袋に収容するに際し、真空状態でパックする技術に関わる。
【０００２】  従来の技術
従来、ビニール袋の真空パックには加熱接着装置などを組込んだ大掛かりで高価な機械が使われており、家庭で利用できる装置は存在しなかった。
【０００３】（解決しようとする課題）
最近では缶詰等にしても、一年以上保存するということはほとんどない。となれば完全な真空でなくとも，雑菌の繁殖を防止する程度の真空度で食物を保存することも意味を持つことになる。そこで電力を必要とせず、どこへでも持ち運びができ、保守点検の必要のない軽量・安価な真空パック装置とすれば、様々な用途が生まれることであろう。しかしながら真空にしたビニール袋を簡単に接着し、真空度を保つ適切な方法が見つからなかった。
【０００４】  この発明に基づく簡易真空パック装置の作動原理、構造と使い方を添付の図１に基づき以下に説明するものとする。
装置は吸気箱（１）とハンドポンプ（１０）からなっており、吸気箱（１）は、内部が空洞のプラスチック、あるいは金属製の箱であり、前面には空気吸引口（２）があり、その上には上下に可動なフラップ（４）が蝶番（５）を介して取付けてあり、後部にはハンドポンプ（１０）にホース（図には示されていない）で接続するためのニップル（３）が取付けてある。この装置に使用するビニール袋（８）は開封口から奥まったところに袋の巾方向に沿って少なくとも巾の長さに等しい両面接着テープ（９）が予め貼り付けてある。
【０００５】使用するには、ビニール袋（８）に収容物を入れ、接着テープ（９）の保護紙を取り去り、装置の前面をビニール袋内に挿入した後、図に示されたようにゴムバンド（７）でビニール袋（８）を装置上に機密性が保てるように固定する。ポンプ（１０）を操作すると、ビニール袋（８）内の空気は吸引口（２）から吸いこまれることになる。この吸引口（２）は両末端が狭くなっているが、ビニール袋（８）の脇の部分が引張られ、絞りこまれないようにするためである。更に、ポンプ（１０）を操作すると、ビニール袋（８）の空気が吸引され、スプリング（６）で水平に保たれていたフラップ（４）が徐々に下に向って押えこまれることになる。このフラップ（４）は、真空引きを行うとき、これがないとビニール袋（８）が吸引口（２）に引張られ、ビニール袋（８）に空気を残したまま、接着テープ（９）が接着してしまう恐れがあるためである。従って、最後に接着テープ（９）の接着が行われるよう、スプリング（６）の強さを使用するビニール袋（８）の厚みなどに応じて調整する必要がある。接着テープ（９）が完全に接着したら、袋の上から接着テープ（９）を指で押さえて終りである。
【０００６】（発明の効果）
操作は子供でもでき、技術を必要としない。更に高い真空度を得たいとき、あるいは多数の袋を真空パックとしたいときは電動ポンプとすることもできる。マグロの切り身などを発泡樹脂のフネとビニール・フィルムで包装した場合と比べ、ビニールの使用量を大きく減らすことができるのみならず、長時間変色することもないし、ビニールが密着しているため鰹の切り身など、放置しておいても水が出ることもない。寿司のごとき料理でも、一週間しても味が変わることがない。装置は小型にできるから、一般家庭で備えておいても邪魔になることはない。
【図面の簡単な説明】
【図１】  前方斜めから見た装置全体図とポンプとの接続を示す立体図
【符合の説明】
吸気箱本体  ２．吸気口  ３．ホース接続用ニップル  ４．フラップ  ５。蝶番  ６．スプリング  ７．ゴムバンド  ８．ビニール袋  ９．両面接着テープ  １０．ハンドポンプ
【手続補正３】
【補正対象書類名】特許請求の範囲
【補正対象項目名】全文
【補正方法】変更
【補正の内容】
【特許請求の範囲】
【請求項１】
気密が保てるようゴムバンドで固定したビニール袋から空気を抜き取ることのできる内部が空洞のプラスチック、または金属からなる吸気箱と、その吸気箱とホースで接続されたハンド・ポンプからなる装置において、使用するには、少なくともビニール袋の巾に等しい長さの両面接着テープが開封口に沿って予め内部に貼られているビニール袋内に保存する物を入れた後、吸気箱の前面、吸気口のある部分をビニール袋に挿入し、ビニール袋の開封口を気密性が保てるようにゴムバンドで吸気箱上にて固定したら、ハンドポンプを操作し、ビニール袋の真空引きを行い、空気が完全に抜き取られ、両面テープが接着して機密性が保てるようにする簡易真空パック装置。
【請求項２】
吸気口の上には、蝶番により下に向って傾斜することができる、ほぼビニール袋の巾に相当する長さのフラップが取付けてあり、通常はスプリングにより水平に保たれているが、真空引きをしたとき、ビニール袋により徐々に下に向って閉じられていき、ビニール袋から完全に空気が抜き取られる前に、接着テープによりビニール袋が塞がれてしまうのを防止できるようになっている請求項１に基づく簡易真空パック装置。
【請求項３】
予めビニール袋の内部に貼られた両面接着テープに代わりビニール接着剤をビニール袋の内部、巾方向に塗布し、真空パックとする請求項１に基づく簡易真空パック装置。